(57)【要約】【課題】リード線の接続時にリード線の被覆を確実かつ容易に破断し得る端子台を提供する。【解決手段】杆状導通片２０の両側縁から、上端部を内方へ延出した可撓辺部２１ｃを対向状に立設して、その対向端２４をほぼ接触させ、かつ両対向端２４，２４の内縁に傾斜刃先２６を夫々形成して、両傾斜刃先２６によりＶ形破断刃２２を構成すると共に、可動押圧片３０のＶ形破断刃２２への嵌入部位ｓの、リード線挿入孔３１の外側傍位置に形成され、可動押圧片３０の接続位置ＩＩで、傾斜刃先対２６の間にくい込んで、両対向端２４の間を所定幅に押し広げる誘導薄片４０を備えた。【選択図】  図１９
2004241151.tif 000002
【特許請求の範囲】
【請求項１】
杆状導通片を絶縁性基板に横断状に装着し、リード線が杆状導通片に電気的に接続される複数の接続部を、杆状導通片に沿って具備する端子台において、
各接続部は、
杆状導通片に一体的に形成されて刃先を導通片の長手方向に沿って突出するＶ形破断刃と、
ほぼ上下方向のリード線挿入孔が形成され、杆状導通片に沿って移動して、リード線挿入孔がＶ形破断刃から退避する開放位置とＶ形破断刃と上下で重なる接続位置とに位置決めされる可動押圧片とを備え、
可動押圧片を接続位置に移動することにより、該接続位置で、リード線挿入孔に挿入されたリード線をＶ形破断刃にくい込ませて、その導線と杆状導通片とを電気的に接続するようにしたものにあって、
杆状導通片の両側縁から、上端部を内方へ延出した可撓辺部を対向状に立設して、その対向端をほぼ接触させ、かつ両対向端の内縁に傾斜刃先を夫々形成して、両傾斜刃先によりＶ形破断刃を構成すると共に、
可動押圧片のＶ形破断刃への嵌入部位の、リード線挿入孔の外側傍位置に形成され、可動押圧片の接続位置で、傾斜刃先対の間にくい込んで、両対向端の間を所定幅に押し広げる誘導薄片を備えることを特徴とする端子台。
【請求項２】
可動押圧片が、リード線挿入孔の上部を形成する肉厚な基部と、
該基部の下部に配設され、リード線挿入孔の下部両側及び下面を形成する正面略Ｕ字状の肉薄な押圧部とを具備すると共に、
前記誘導薄片が、押圧部の外側縦辺の上端と、基部との間に上下に差し渡して一体的に連成されていることを特徴とする請求項１記載の端子台。
【請求項３】
可動押圧片のＶ形破断刃への嵌入部位の、リード線挿入孔の内側傍位置に上下に差し渡して形成され、可動押圧片の接続位置で、前記対向端の間に嵌入する支持薄片を備える請求項１又は請求項２に記載の端子台。
【発明の詳細な説明】
【０００１】
【発明の属する技術分野】
本発明は、複数のリード線を導通片を介して電気的に接続するための端子台に関するものである。
【０００２】
【従来の技術】
杆状導通片を絶縁性基板に横断状に装着し、リード線が杆状導通片に電気的に接続される複数の接続部を、杆状導通片に沿って具備する端子台は種々提案されている。これらの端子台は、前後に重ね合わせられて、据付レール上に保持される（例えば、特許文献１参照。）。
【０００３】
また、上述の端子台にあって、各接続部は、杆状導通片に一体的に形成されて刃先を導通片の長手方向に沿って突出するＶ形破断刃と、ほぼ上下方向のリード線挿入孔が形成され、杆状導通片に沿って移動して、リード線挿入孔がＶ形破断刃から退避する開放位置とＶ形破断刃と上下に重なる接続位置とに位置決めされる可動押圧片とを備えた構成が、本発明者により提案され、既に特許出願している（特願２００２−０９０６６２）。
【０００４】
かかる構成にあっては、杆状導通片の両側縁から、上端部を内方へ延出した可撓辺部を対向状に立設して、その対向端をほぼ接触させ、かつ両対向端の内縁に傾斜刃先を夫々形成して、該両傾斜刃先によりＶ形破断刃が構成される。また、可動押圧片は、リード線挿入孔の上部を形成する肉厚な基部と、該基部の下方に配設されてリード線挿入孔の下部を形成し、接続位置で、可撓辺部に嵌入する肉薄の押圧部とを備え、該基部と押圧部との間に、リード線挿入孔を横断するようにしてＶ形破断刃の嵌入部位が間隙状に形成される。この端子台のリード線挿入孔にリード線を被覆されたままで挿入し、梃子棒の傾動作用等により可動押圧片を接続位置へ移動すると、前記嵌入部位に進入したＶ形破断刃２２と、リード線挿入端とが当接する。そして、傾斜刃先対がリード線にくい込んで導線が切断されない程度に被覆が破断されると同時に、リード線挿入端が該傾斜刃先対の案内作用により可撓片部を外方に押し広げて対向端間に進入して、該導線を対向端縁間に挟圧されることにより、リード線は杆状導通片と電気的に接続すると共に、引き抜き不可能に保持されることとなる。このように、かかる端子台ではリード線に圧着端子を固着したり、導線を剥き出しとするなどの加工を要せず、リード線の接続を簡便に行い得る。
【０００５】
【特許文献１】
特開平１０−２２４４５９号公報
【０００６】
【発明が解決しようとする課題】
ところで、上述の端子台にあっては、杆状導通片の可撓辺部の両対向端が相互に接触していると、傾斜刃先対が外方で閉じた形状となる。このため、リード線を該傾斜刃先対にくい込ませて、対向端間に挿入するのに大きな力を要すると共に、リード線が不必要に破断され、接続時に加わる引張り力等によりリード線が破断部位で切断し易くなるという問題がある。こうした問題を解決するために、可撓辺部の対向端間に間隙を有するように杆状導通片を成形して、リード線を対向端間に嵌入し易くすると共に、リード線を必要部分だけ破断するようにした端子台が提案されている。しかし、かかる構成にあっては、杆状導通片の成形時にその間隙幅を均一に形成するのは難しく、該間隙幅の差異により端子台毎にリード線の破断具合にムラができ易いという問題が生じている。
【０００７】
本発明はかかる問題の解決を試みたものであって、リード線の接続時に、該リード線の被覆を確実かつ容易に破断し得る端子台の提供を目的とする。
【０００８】
【課題を解決するための手段】
本発明は、杆状導通片を絶縁性基板に横断状に装着し、リード線が杆状導通片に電気的に接続される複数の接続部を、杆状導通片に沿って具備する端子台において、各接続部は、杆状導通片に一体的に形成されて刃先を導通片の長手方向に沿って突出するＶ形破断刃と、ほぼ上下方向のリード線挿入孔が形成され、杆状導通片に沿って移動して、リード線挿入孔がＶ形破断刃から退避する開放位置とＶ形破断刃と上下で重なる接続位置とに位置決めされる可動押圧片とを備え、可動押圧片を接続位置に移動することにより、該接続位置で、リード線挿入孔に挿入されたリード線をＶ形破断刃にくい込ませて、その導線と杆状導通片とを電気的に接続するようにしたものにあって、杆状導通片の両側縁から、上端部を内方へ延出した可撓辺部を対向状に立設して、その対向端をほぼ接触させ、かつ両対向端の内縁に傾斜刃先を夫々形成して、両傾斜刃先によりＶ形破断刃を構成すると共に、可動押圧片のＶ形破断刃への嵌入部位の、リード線挿入孔の外側傍位置に形成され、可動押圧片の接続位置で、傾斜刃先対の間にくい込んで、両対向端の間を所定幅に押し広げる誘導薄片を備えることを特徴とする端子台である（請求項１）。
【０００９】
ここで可動押圧片の外側とは、開放位置でＶ形破断刃と対向する側を指し、可動押圧片の内側とはその反対側を指す。かかる構成にあっては、リード線挿入孔にリード線を挿入して可動押圧片を接続位置へ移動させると、誘導薄片が、リード線より先にＶ形破断刃と当接し、傾斜刃先の案内作用により、両可撓片部を両脇に押し広げて、該可撓片部の対向端間に進入する。従って、リード線がＶ形破断刃と当接する時点では、該傾斜刃先対の間には、誘導薄片の厚み分だけの隙間が生じていることとなる。このように、可撓辺部の対向端間に間隙を予め形成しなくても、リード線の接続時には、該誘導薄片が、対向端縁間に嵌入して常に一定幅の間隙を形成するから、リード線を少ない力で対向端間に挿入可能となると共に、リード線を好適な破断具合で安定して破断することが可能となる。
【００１０】
ここで、可動押圧片が、リード線挿入孔の上部を形成する肉厚な基部と、該基部の下部に配設され、リード線挿入孔の下部両側及び下面を形成する正面略Ｕ字状の肉薄な押圧部とを具備すると共に、前記誘導薄片が、押圧部の外側縦辺の上端と、基部との間に上下に差し渡して一体的に連成される構成としてもよい（請求項２）。かかる構成にあっては、誘導薄片により、押圧部の外側縦辺の上端と基部とを連結することにより、肉薄な押圧部の構造がより安定したものとなる。
【００１１】
また、可動押圧片のＶ形破断刃への嵌入部位の、リード線挿入孔の内側傍位置に上下に差し渡して形成され、可動押圧片の接続位置で、前記対向端の間に嵌入する支持薄片を備えることも提案される（請求項３）。かかる構成にあっては、リード線をＶ形破断刃に押圧して破断する際に、該リード線の破断部位の直内側部が該支持薄片により支持されるため、リード線が撓み難く、リード線の破断態様が安定することとなる。
【００１２】
【発明の実施の形態】
図１は、本発明の一実施例に係る端子台１を示す。この端子台１はポリカーボネイト等絶縁性樹脂材料によって板状に形成された左右対称の絶縁性基板２を主体部とする。そして該絶縁性基板２上に、杆状導通片２０及び可動押圧片３０，３０を装着することにより、端子台１の両側に、リード線８０を接続するための接続部３，３が配設される。すなわちかかる端子台１では、可動押圧片３０，３０のリード線挿入孔３１に夫々リード線８０，８０を挿入して、杆状導通片２０の左右の側部に接続することで、該杆状導通片２０を介して左右のリード線８０が電気的に接続される。以下にこの端子台１の各部を詳細に説明する。
【００１３】
絶縁性基板２は、図２に示すように、背板１０から所定肉厚で画成壁４が突出することにより、座定溝面５，５などを一面側で開放状に形成する。すなわち、絶縁性基板２の上面は逆三角状の肉厚頂部７から両側へ等角度で傾斜したへ字状をなし、その傾斜辺の内側を、画成壁４により傾斜辺に沿ってほぼ矩形状に区画された座定溝面５，５とし、さらに座定溝面５，５上を上方へ開放する結線口６，６としている。また前記座定溝面５，５の底部には、可動押圧片３０の変位に際して挿入される梃子棒８２（図１７，１８参照）の先端部をその支持側縁９で傾動可能に支持する上方へ開放する操作溝８が画成壁４により区画形成されている。
【００１４】
また、絶縁性基板２の周囲に形成された画成壁４の前面の適宜位置に連結孔５５を形成し、さらに背板１０の、該連結孔５５と対向する位置に、該連結突起（図示せず）を形成して、相互に嵌入することにより、端子台１相互は重ね合わせ状に連結される。また最端部の端子台１の画成壁４に端子台１とほぼ同一外形の端板５７が被着される。このようにして端子台１は、図３，４で示すように、上述した据付レール７０の連係突部７１，７１に連結片１５，１５を係合して、据付レール７０上に多数重ね合わせ状に連結される。さらに、この端子台列を据付レール７０上で固定するために、該据付レール７０に固定金具７６，７６が螺子７７により固定される。
【００１５】
杆状導通片２０は銅合金等よりなり、図１に示すように、絶縁性基板２の座定溝面５，５に差し渡して装着され、絶縁性基板２の背板１０に対して、へ字状に屈曲した杆状をなす。そして、この杆状導通片２０は、図５〜８で示すように、各座定溝面５，５に装着される各辺部にあって、底面部２１ａと、該底面部２１ａの両側から起立する側面部２１ｂ，２１ｂとからなる断面コ字状をなす。そして、底面部２１ａには、操作溝８の開口に臨む部位を切欠して、梃子棒作動口２３，２３を形成している。側面部２１ｂ，２１ｂには、可動押圧片３０と係合する係合突起２５，２５が内方に向けて突成され、さらに側面部２１ｂ，２１ｂの両側縁には、可撓辺部２１ｃ，２１ｃが立設される。
【００１６】
前記可撓辺部２１ｃ，２１ｃは、上端部を図７中の内方へ対向状に湾曲させ、その対向端２４，２４を中間位置で相互に接触する。そして図５、６に示すように、該対向端２４，２４の内縁から、夫々両側下方へ弧状に傾斜する傾斜刃先２６，２６が形成されており、この上面Ｖ形をなす傾斜刃先２６，２６対により、リード線８０を破断するＶ形破断刃２２が構成される。そして、後述するように、かかる可撓辺部２１ｃ，２１ｃでは、該Ｖ形破断刃２２にリード線８０を内方から押し付けると、該傾斜刃先２６，２６の案内作用により、可撓辺部２１ｃ，２１ｃが図７中の外方に撓み、両対向端２４，２４間に間隙を生じて、該間隙に嵌入したリード線８０を該対向端２４，２４間で挟圧し保持するようになっている。
【００１７】
可動押圧片３０は、図１に示すように、夫々左右の接続部３，３にあって、杆状導通片２０の側面部２１ｂ，２１ｂ間に、該杆状導通片２０に沿って移動可能に装着される。この可動押圧片３０は、表裏対称に形成されたナイロン等の絶縁性合成樹脂材料よりなり、図９，１０に示すように、外側（図９，１０中の右側）にリード線挿入孔３１が、内側（図９，１０中の左側）に梃子棒貫通孔３２が上下方向へ夫々形成される。また、リード線挿入孔３１と梃子棒貫通孔３２との間には、作動孔４４が上下方向に形成されており、この作動孔４４内には、後述するリード線挿入確認片４５が昇降可能に保持される。
【００１８】
さらに図９〜１５に従って、詳しく述べる。なお、以下の説明では、可動押圧片３０の内方とは図９中の左方を指す。
前記可動押圧片３０は、正面鉤形をなす肉厚な基部３３と、該基部３３の外側下部に形成され、正面略Ｕ字形をなす肉薄な押圧部３４とを備える。この押圧部３４は杆状導通片２０に嵌入するように装着されて、可動押圧片３０の接続位置ＩＩでは、前記杆状導通片２０の側面部２１ｂ，２１ｂ及び可撓辺部２１ｃ，２１ｃ間に、押圧部３４全体が嵌入する。すなわち、該押圧部３４の上縁と基部３３の外側部下縁との間に、接続位置ＩＩでＶ形破断刃２２がくい込み、進入することとなり、かかる位置に本発明にかかる嵌入部位ｓが形成される。
【００１９】
また、基部３３の上面には、突成部３８が形成される。この突成部３８の上端には、前後に指標凹部９０，９０が形成されており、絶縁性基板２の結線口６，６に形成される開放位置Ｉを示すマーク３９ａや接続位置ＩＩを示すマーク３９ｂ（図２参照）に、該指標凹部９０を一致させることにより、可動押圧片３０が開放位置Ｉと接続位置ＩＩへの位置決めを確実に行い得るようにしている。
【００２０】
前記梃子棒貫通孔３２は、基部３３の内側部に、杆状導通片２０の長尺方向と直交するようにして上下に貫通状に形成される。そして、ドライバー等からなる梃子棒８２を、梃子棒貫通孔３２及び梃子棒作動口２３を通し、操作溝８に挿入して傾動すると、梃子棒貫通孔３２の内面が該梃子棒８２に押圧され、可動押圧片３０が、内方の開放位置Ｉと外方の接続位置ＩＩとの間を移動するようになっている（図１７，１８参照）。
【００２１】
また、可動押圧片３０の外側部に形成される前記リード線挿入孔３１は、基部３３外側部を上下に貫通する貫通部３１ａと、該貫通部３１ａの下端と連通し、押圧部３４内で前後に開放する開放部３１ｂとからなり、該開放部３１ｂの下部をリード線挿入端８１の座定位置Ｘとしている。
【００２２】
そして、開放部３１ｂの外側面を形成する押圧部３４の外側縦辺３４ａには、舌片状のリード線保持片４６が、座定位置Ｘへ向けて突成される。かかるリード線保持片４６は、リード線８０の挿入時に、リード線挿入端８１に弾接して、該リード線挿入端８１を開放部３１ｂの内側面に押し付けて、該リード線挿入端８１を座定位置Ｘに押し止めるようになっている（図１６参照）。
【００２３】
また、押圧部３４の底辺の前後面には突起３６，３６が形成される。この突起３６，３６は、杆状導通片２０に形成される係合突起２５と、可動押圧片３０の開放位置Ｉや接続位置ＩＩで夫々係合して、可動押圧片３０を保持する節度手段を構成する。
【００２４】
次にリード線挿入確認片４５、及び該リード線挿入確認片４５を変位させる確認片変位手段について、図９〜図１５に従って説明する。確認片変位手段は、リード線挿入確認片４５を昇降可能に保持する作動孔４４と、リード線挿入端８１の押圧作用によりリード線挿入確認片４５を上昇させる傾動変換片４２により構成される。
【００２５】
リード線挿入確認片４５は、図９，１０に示すように、下部に切欠部９１が形成された上下に長い杆状をなし、可動押圧片３０の作動孔４４内に昇降可能に保持される。この作動孔４４は、可動押圧片３０の中央部に上下に形成されており、その断面は、嵌入するリード線挿入確認片に対して、遊びのない形状となっている。そして、作動孔４４の上端は、突成部３８の上面に開口し、その上方をリード線挿入確認片４５上端の確認位置Ｙとする。一方、作動孔４４の下端は、その外側を押圧部３４の内側辺３４ｂに開口し、保持するリード線挿入確認片４５の切欠部９１を、リード線挿入孔３１の開放部３１ｂに露出する。また、可動押圧片３０は赤色樹脂、リード線挿入確認片４５は白色樹脂により形成されており、該リード線挿入確認片４５が上端を確認位置Ｙとした際に、可動押圧片３０との色の対比により視認容易となるようにしている。
【００２６】
一方、傾動変換片４２は、押圧部３４の内側辺３４ｂから下方に垂下する薄肉保持部４７の下端から両側に突出する杆状をなし、該薄肉保持部４７を介して可動押圧片３０と一体的に形成される。そして、傾動変換片４２の両端のうち、開放部３１ｂに突出する受圧端４８は、リード線８０挿入時にリード線挿入端８１と当接するようにその先端を座定位置Ｘ上方に配置され、一方、作動孔４４下部の開口側へ突出する係合端５０は、その先端をリード線挿入確認片４５の切欠部９１に嵌入される。かかる構成にあっては、図１６に示すように、リード線挿入孔３１の座定位置Ｘにリード線８０を挿入すると、リード線挿入端８１の押圧作用により、リード線挿入確認片４５の上端が確認位置Ｙへ突出して端子台１の外方から視認容易となり、該リード線挿入端８１が座定位置Ｘまで挿入されたことを作業者に報知し得るようになっている。
【００２７】
さらに、基部３３の内側端には、防塵弁４３が一体的に形成される。かかる防塵弁４３は、基部３３の内側端から突成される正面視Ｖ字形の屈曲防塵片４３ａと、該屈曲防塵片４３ａの屈曲部から下方に突成される舌片状の可撓性防塵片４３ｂとで構成される。前記屈曲防塵片４３ａは、左端部に形成される嵌合部６０を、絶縁性基板２の肉厚頂部７に形成される嵌合溝６１（図２参照）に嵌合し、可動押圧片３０の開放位置Ｉでは、可動押圧片３０と肉厚頂部７との間で折り畳まれ、可動押圧片３０の接続位置ＩＩでは、端子台１の外方へ伸長し、可動押圧片３０の接続位置ＩＩへの変位後に生じる間隙を杆状導通片２０の上方で遮蔽する。一方、可撓性防塵片４３ｂは、屈曲防塵片４３ａの伸縮に伴い傾動して、可動押圧片３０の開放位置Ｉで操作溝８方向に突出し、梃子棒貫通孔３２より挿入された梃子棒８２を該操作溝８へ案内すると共に、可動押圧片３０の接続位置ＩＩで梃子棒貫通孔３２を下方で遮蔽して、該梃子棒貫通孔３２から塵埃が杆状導通片２０上に落下するのを防止する。
【００２８】
次に本発明の要部について説明する。
図９，１５に示すように、可動押圧片３０のＶ形破断刃２２への嵌入部位ｓは、押圧部３４の上縁と基部３３の外側部下縁との間に形成される。この嵌入部位ｓは、リード線挿入孔３１を横断して形成される。すなわち、接続位置ＩＩでＶ形破断刃２２が該嵌入部位ｓに進入し、リード線挿入孔３１を横断するようになっている。そして、該嵌入部位ｓの、リード線挿入孔３１の外側傍位置には、押圧部３４の外側縦辺３４ａ上端と基部３３の外側下部との間を上下に差し渡すようにして誘導薄片４０が形成される。また、該嵌入部位ｓの、リード線挿入孔３１の内側傍位置には、押圧部３４の内側辺３４ｂの上端と基部３３の下部との間を上下に差し渡すようにして支持薄片４１が形成される。この誘導薄片４０と支持薄片４１とは、図１２，１５に示すように、リード線挿入孔３１を内外で挟むようにして、可動押圧片３０の中央に形成されており、リード線挿入孔３１に挿入されるリード線８０の導線８３の太さよりも薄い薄板形状をなす。そして、後述するように、誘導薄片４０及び支持薄片４１は、可動押圧片３０の開放位置ＩではＶ形破断刃２２の内方に退避して、可動押圧片３０の接続位置ＩＩではＶ形破断刃２２にくい込んで、可撓辺部２１ｃの対向端２４，２４間に嵌入するようになっている。
【００２９】
ここで、リード線８０の接続部３，３への結線手順を、図１７，１８に従って説明する。
リード線８０の非接続時には、可動押圧片３０は、開放位置Ｉとなっている（図１７（イ）参照）。この状態で、結線口６，６からリード線８０を、リード線挿入孔３１に挿入し、リード線８０の挿入端８１が、座定位置Ｘまで達すると、上述したように、傾動変換片４２の傾動により、リード線挿入確認片４５の上端が確認位置Ｙに突出し、外方から容易に視認可能となる（図１７（ロ）参照）。そして、梃子棒貫通孔３２及び梃子棒作動口２３から梃子棒８２を挿入し、その先端を操作溝８の底縁に当接する（図１８（ハ）参照）。次に、梃子棒８２を操作溝８内の支持側縁９を支点として傾動すると、梃子棒貫通孔３２は、梃子棒８２に対して遊びがほとんどないから、該梃子棒８２の傾動操作による回動モーメントの作用を受けて、可動押圧片３０は梃子棒貫通孔３２での梃子棒８２の幅変位に相当する分だけ杆状導通片２０に沿って移動して接続位置ＩＩとなる（図１８（ニ）参照）。
【００３０】
次に上述の結線手順に伴う、リード線８０の接続態様を図１９に従って説明する。
可動押圧片３０の開放位置Ｉでは、図１９（イ）に示すように、可動押圧片３０の嵌入部位ｓは、Ｖ形破断刃２２の内方に位置しており、杆状導通片２０の対向端２４は相互に接触している。そして、梃子棒８４の押圧作用により、可動押圧片３０が外方へ移動して、嵌入部位ｓの外側に位置する誘導薄片４０をＶ形破断刃２２に押し付けると、傾斜刃先２６の案内作用により可撓辺部２１ｃ，２１ｃを前後に撓ませて、誘導薄片４０は対向端２４，２４間に嵌入する（図１９（ロ）参照）。続いてリード線８０がＶ形破断刃２２を押し付けると、傾斜刃先２６により、該リード線８０が破断され、その導線部分８３が露出すると同時に、傾斜刃先２６の案内作用により可撓辺部２１ｃをさらに撓ませて、リード線８０の破断した部位が対向端２４間に進入することとなる（図１９（ロ））。かかる可動押圧片３０の接続位置ＩＩにあっては、露出した導線部分８３が対向端２４，２４に挟圧されて、リード線８０は、杆状導通片２０と電気的に接続すると共に、リード線挿入孔３１から引抜き不可能に保持されることとなる。
【００３１】
かかる構成にあっては、リード線挿入端８１に先立って、誘導薄片４０が可撓辺部の対向端間に嵌入するから、リード線挿入端８１をＶ形破断刃２２に押圧する際には、常に傾斜刃先２６の間に誘導薄片４０の厚みだけ間隙が生じることとなる。このように、リード線８０の挿入前に傾斜刃先２６間を押し広げておくことにより、リード線を対向端の間に挿入し易くなる。そして、この間隙幅は、誘導薄片４０の厚み分に一定しているから、リード線８０の破断態様はバラつきがなく、安定したものとなる。
【００３２】
以上のように実施例を説明したが、本発明は、上記実施例の構成に限定したものではなく、本発明の趣旨の範囲内で適宜変更可能である。例えば、傾斜刃先２６は、弧状のものでなく直線状に形成したものを用いることもできるし、また、可撓辺部２３ｃ，２３ｃの対向端２４，２４は完全に接触状態でなくとも、誘導薄片４０の厚みより狭い間隙を有するものでもよい。また、誘導薄片４０の横断面は矩形に限定するものではなく、例えばＶ形破断刃２２との当接部分に傾斜面を形成して、対向端２４間に嵌入し易いようにしてもよい。さらに、本発明は、左右に接続部３を一つずつ具備する端子台１に限らず、杆状導通片２０の一側に複数の可動押圧片３０を装着して、一側に接続部３を複数具備した端子台にも同様にして適用できる。
【００３３】
【発明の効果】
本発明は、杆状導通片の両側縁から、上端部を内方へ延出した可撓辺部を対向状に立設して、その対向端をほぼ接触させ、かつ両対向端の内縁に傾斜刃先を夫々形成して、両傾斜刃先によりＶ形破断刃を構成すると共に、可動押圧片のＶ形破断刃への嵌入部位の、リード線挿入孔の外側傍位置に形成され、可動押圧片の接続位置で、傾斜刃先対の間にくい込んで、両対向端の間を所定幅に押し広げる誘導薄片を備えたから（請求項１）、リード線の接続時に、誘導薄片が、リード線に先立って両対向端を押し広げて、傾斜刃先対の間に常に一定幅の間隙を形成することとなり、該リード線を少ない力で対向端間に挿入することができると共に、リード線の破断態様が安定したものとなり、リード線を必要以上に破断することを防止できる。
【００３４】
可動押圧片が、リード線挿入孔の上部を形成する肉厚な基部と、該基部の下部に配設され、リード線挿入孔の下部両側及び下面を形成する正面略Ｕ字状の肉薄な押圧部とを具備すると共に、前記誘導薄片が、押圧部の外側縦辺の上端と、基部との間に上下に差し渡して一体的に連成される場合には（請求項２）、外側縦辺の上端を誘導薄片を介して基部と連結することにより、押圧部を構造的に安定したものとできる。このため、リード線を繰り返し端子台に接続しても、可動押圧片が破損することがない。
【００３５】
そして、可動押圧片のＶ形破断刃への嵌入部位の、リード線挿入孔の内側傍位置に上下に差し渡して形成され、可動押圧片の接続位置で、前記対向端の間に嵌入する支持薄片を備えた場合には（請求項３）、リード線の接続時に、該支持薄片が、Ｖ形破断刃の反対側からリード線を押圧するから、リード線を歪むことなく破断でき、リード線の破断具合をより安定させることができる。また、誘導薄片と同様に、破断刃の嵌入部位に上下に差し渡されるため、可動押圧片を構造的に強固なものとできる。
【図面の簡単な説明】
【図１】本発明の端子台１を示す正面図である。尚、画成壁４は断面を付して示す。
【図２】絶縁性基板２の正面図である。尚、画成壁４は断面を付して示す。
【図３】集合した端子台１を据付レール７０に装着した状態を示す平面図である。
【図４】集合した端子台１を据付レール７０に装着した状態を示す側面図である。
【図５】杆状導通片２０を一部切欠して示す、正面図である。
【図６】杆状導通片２０の一辺側の平面図である。
【図７】杆状導通片２０の一辺側の側面図である。
【図８】図６のＡ−Ａ断面図である。
【図９】可動押圧片３０及びリード線挿入確認片４５の正面図である。
【図１０】リード線挿入確認片４５を保持した状態での可動押圧片３０の縦断正面図である。
【図１１】可動押圧片３０の平面図である。
【図１２】図９のＢ−Ｂ断面図である。
【図１３】可動押圧片３０の底面図である。
【図１４】可動押圧片３０の内方側面図である。
【図１５】可動押圧片３０の外方側面図である。
【図１６】リード線８０挿入に伴うリード線挿入確認片４５の変位態様を示す説明図（イ），（ロ），（ハ）である。
【図１７】接続部３，３への結線手順を示す説明図（イ），（ロ）である。ここで杆状導通片２０を縦断して示している。
【図１８】接続部３，３への結線手順を示す説明図（ハ），（ニ）である。ここで杆状導通片２０を縦断して示している。
【図１９】リード線８０の接続過程を示す説明図（イ），（ロ），（ハ）である。ここで誘導薄片４０と支持薄片４１、リード線８０を横断して示している。
【符号の説明】
１  端子台
２  絶縁性基板
３  接続部
４  画成壁
２０  杆状導通片
２１ｃ  可撓辺部
２２  Ｖ形破断刃
２４  対向端
２６  傾斜刃先
３０  可動押圧片
３１  リード線挿入孔
３３  基部
３４  押圧部
４０  誘導薄片
４１  支持薄片
８０  リード線
８２  梃子棒
Ｉ  開放位置
ＩＩ  接続位置
ｓ  嵌入部位
【図１】
2004241151.tif 000003
【図２】
2004241151.tif 000004
【図３】
2004241151.tif 000005
【図４】
2004241151.tif 000006
【図５】
2004241151.tif 000007
【図６】
2004241151.tif 000008
【図７】
2004241151.tif 000009
【図８】
2004241151.tif 000010
【図９】
2004241151.tif 000011
【図１０】
2004241151.tif 000012
【図１１】
2004241151.tif 000013
【図１２】
2004241151.tif 000014
【図１３】
2004241151.tif 000015
【図１４】
2004241151.tif 000016
【図１５】
2004241151.tif 000017
【図１６】
2004241151.tif 000018
【図１７】
2004241151.tif 000019
【図１８】
2004241151.tif 000020
【図１９】
2004241151.tif 000021